(57)【要約】【課題】複数の端子部材の配置に要する平面方向のスペースの縮小を容易に行うことができるカード用アダプタの提供。【解決手段】樹脂製のケース１と、ケース１の収納空間２内で露出しカード１００の端子と接触可能な内部端子４１、ケース１の外部に露出し外部機器の端子に接触可能な外部端子４２および内部端子４１と外部端子４２を連結する連結部４３が形成された複数の端子部材４０とを備え、各連結部４３がインサート成形によりケース１のインサート成形部３０に埋設されたカード用アダプタにおいて、２つの連結部４３がケース１の厚さ方向における異なる位置に配置され樹脂を挟んで重なった部分を、インサート成形部３０のＡ部に複数設けた。【選択図】図４
2006032097.tif 000002
【特許請求の範囲】
【請求項１】
樹脂からなりカードが収納される収納空間を形成するケースと、
前記収納空間内に露出され前記収納空間に収納された前記カードの端子に接触する内部端子、前記ケースの外部に露出され外部機器に接続可能な外部端子、および前記内部端子と前記外部端子を連結する連結部を一体に形成してなる複数の端子部材とを備え、
前記複数の端子部材のそれぞれの前記連結部が、インサート成形により前記ケースに埋設されて、前記ケースと前記複数の端子部材が一体化されたカード用アダプタであって、
少なくとも２つの前記端子部材のそれぞれの前記連結部を、前記ケースの厚さ方向における異なる位置に配置したことを特徴するカード用アダプタ。
【請求項２】
請求項１記載の発明において、
前記少なくとも２つの前記連結部を、前記ケースの厚さ方向に前記樹脂を挟んで重ねたことを特徴とするカード用アダプタ。
【請求項３】
請求項１記載の発明において、
前記内部端子が、前記端子部材の一端側を前記収納空間内に片持ち梁状に突出させてなることを特徴とするカード用アダプタ。
【請求項４】
請求項１記載の発明において、
前記内部端子および前記外部端子をどちらも、前記厚さ方向に直交する平面方向に並べたことを特徴とするカード用アダプタ。
【請求項５】
請求項１記載の発明において、前記インサート成形の際、前記少なくとも２つの連結部に金型を直接接触させた状態に保持したことを特徴とすることを特徴とするカード用アダプタ。
【発明の詳細な説明】
【技術分野】
【０００１】
本発明は、樹脂からなりカードが収納される収納空間を形成するケースと、このケースに設けられカードと外部機器を接続する端子部材とが、インサート成形により一体化されているカード用アダプタに関する。
【背景技術】
【０００２】
従来のカード用アダプタ、例えばＩＣカード用アダプタは、カードが収納される収納空間を形成するケースを備えている。このケースには、収納空間内に露出され収納空間に収納されたカードの端子に接触する複数の内部端子、ケースの外部に露出され外部機器に接続可能な複数の外部端子、および内部端子と外部端子の対応するもの同士を連結する回路が形成された基板が実装されている（特許文献１参照）。
【０００３】
このＩＣカード用アダプタでは、内部端子と外部端子の間で信号処理が必要なので、内部端子と外部端子が基板に形成された回路により連結されている。このため、回路基板とケースとを個別に製作する必要があり、カード用アダプタの製作が煩雑なる。
【０００４】
また、カード用アダプタには、前述のＩＣカード用アダプタのように内部端子と外部端子の間で信号処理を行う必要がなく、内部端子と外部端子を単に電気的に接続すればよいものがある。この種のカード用アダプタは、内部端子と、外部端子と、内部端子と外部端子を連結する連結部とを一体に形成した端子部材を備えており、この端子部材はインサート成形によりケースと一体化されている。
【０００５】
インサート成形では、複数の端子部材が平面的に並べられて連結されたシート状の金属部材を金型内に配置する工程、金型内に溶融樹脂を注入して連結部を埋設する工程、および樹脂が固化した後にシート状部材の不要な部分を打ち抜く工程が行われる。
【特許文献１】特開平１０−２４０８８７号公報
【発明の開示】
【発明が解決しようとする課題】
【０００６】
端子部材とケースをインサート成形により一体化するカード用アダプタでは、手指の爪でつまんで扱うほど小型化することが要望されている。カード用アダプタを小型化する場合、複数の端子部材の配置に要するケースの厚さ方向に直交する平面方向のスペースを縮小する必要がある。複数の端子部材の配置に要する平面方向のスペースを縮小するための対策としては、端子部材の連結部の寸法を小さくしたり、隣接する連結部間の間隔寸法を小さくすることが考えられる。しかし、手指の爪でつまんで扱うほどカード用アダプタを小型化する場合には、高い精度が要求されるので、前記対策の実現が困難である。
【０００７】
本発明は、上述の実状を考慮してなされたものであり、複数の端子部材の配置に要するケースの厚さ方向に直交する平面方向のスペースの縮小を容易に行うことができるカード用アダプタを提供することにある。
【課題を解決するための手段】
【０００８】
〔１〕  本発明は、前述の目的を達成するために、樹脂からなりカードが収納される収納空間を形成するケースと、前記収納空間内に露出され前記収納空間に収納された前記カードの端子に接触する内部端子、前記ケースの外部に露出され外部機器に接続可能な外部端子、および前記内部端子と前記外部端子を連結する連結部からなる複数の端子部材とを備え、前記ケースと前記複数の端子部材がインサート成形により一体化され、前記複数の端子部材のそれぞれの前記連結部が、前記ケースに埋設されたカード用アダプタであって、少なくとも２つの前記端子部材のそれぞれの前記連結部を、前記ケースの厚さ方向における異なる位置に配置したことを特徴する。
【０００９】
このように構成した本発明では、少なくとも２つの端子部材のそれぞれの連結部を、ケースの厚さ方向における異なる位置に配置した。これにより、ケースの厚さ方向における異なる位置に配置される連結部の、ケースの厚さ方向に直交する平面方向における間隔寸法を小さくすることが容易になる。この結果、複数の端子部材の配置に要する平面方向のスペースの縮小を容易に行うことができる。
【００１０】
〔２〕  本発明は、〔１〕記載の発明において、前記少なくとも２つの前記連結部を、前記ケースの厚さ方向に前記樹脂を挟んで重ねたことを特徴とする。
【００１１】
このように構成した本発明では、複数の端子部材の配置に要する平面方向のスペースを、さらに縮小することができる。
【００１２】
〔３〕  本発明は、〔２〕記載の発明において、前記内部端子が、前記端子部材の一端側を前記収納空間内に片持ち梁状に突出させてなることを特徴とする。
【００１３】
このように構成した本発明では、カードの端子と内部端子を、内部端子の弾性力により圧接させることができるので、カードの端子と内部端子の安定した接触状態を保持することができる。
【００１４】
〔４〕  本発明は、〔１〕記載の発明において、前記内部端子および前記外部端子をどちらも、前記厚さ方向に直交する平面方向に並べたことを特徴とする。
【００１５】
このように構成した本発明では、平面的に配列された端子を有するカードおよびカード用コネクタに対応するカード用アダプタを実現できる。
【００１６】
〔５〕  本発明は、〔１〕記載の発明において、前記インサート成形の際、前記少なくとも２つの連結部に金型を直接接触させた状態に保持したことを特徴とすることを特徴とする。
【００１７】
このように構成した本発明では、インサート成形の際、ケースの厚さ方向における異なる所定位置のそれぞれに連結部を配置するための精度を向上させることができる。
【発明の効果】
【００１８】
前述したように、本発明は、ケースの厚さ方向における異なる位置に配置される連結部の、ケースの厚さ方向に直交する平面方向における間隔寸法を小さくすることが容易になる。この結果、複数の端子部材の配置に要する平面方向のスペースの縮小を容易に行うことができる。
【発明を実施するための最良の形態】
【００１９】
以下に本発明のカード用アダプタの一実施形態について図１〜５を用いて説明する。図１は本発明のカード用アダプタの一実施形態を示す斜視図、図２は図１に示す実施形態にカードを収納した状態を示す斜視図、図３は図１に示す実施形態の分解斜視図、図４は図１に示す実施形態に備えられるインサート成形部を示す平面図、図５は開閉カバーとケースの係合状態を示す断面図である。
【００２０】
図１，２に示すように、本実施形態は、カード１００が収納される収納空間２を形成するケース１を備えている。このケース１には、収納空間２内に露出されカード１００の端子（図示せず）に接触する内部端子４１、ケース１の外部に露出され外部機器（図示せず）に接続される外部端子４２（図４参照）、内部端子４１と外部端子４２を連結する連結部４３（図４参照）からなる複数の端子部材４０を設けてある。また、ケース１には、金属からなり、収納空間２を開閉する開閉カバー５０をｓ方向に回動可能に取付けてある。
【００２１】
ケース１は、図３に示すように、底板１１を有する下部ケース１０と、開閉カバー５０が配置される切欠き２３が形成された上板２１を有する上部ケース２０と、インサート成形により端子部材４０と一体化されたインサート成形部３０とからなる。インサート成形部３０は、下部ケース１０の縁に形成される枠部１２と、上部ケース２０の縁に形成される枠部２２とに嵌合してある。下部ケース１０と上部ケース２０は、互いの枠部１２，２２同士を突き合わせて固着してある。
【００２２】
端子部材４０の内部端子４１は、一端がインサート形成部３０に支持され他端が収納空間２内に配置される片持ち梁状に形成してある。この内部端子４１は、ケース１の厚さ方向（ｏ−ｕ方向）に直交する平面方向、例えば前後方向（ｆ−ｂ方向）に並べてある。インサート成形部３０および下部ケース１０には、内部端子４１の下方（ｕ方向）への撓みを許容する矩形の孔３１，１３を形成してある。
【００２３】
端子部材５の外部端子４２は、図４に示すように、矩形の平板状に形成してあり、インサート成形部３０の前端部の下面において露出させてある。また、外部端子４２は、ケース１の厚さ方向（ｏ−ｕ方向）に直交する平面方向、例えば左右方向（ｌ−ｒ方向）に並べてある。
【００２４】
開閉カバー５０をケース１に回動可能に取付ける構造は、図３に示すように、開閉カバー５０の両側部に形成されたリブ５１Ａ，５１Ｂのそれぞれの一端部に設けられ、左右方向に貫通する一対の軸孔５２Ａ，５２Ｂと、インサート成形部３０の後端部の両側部に形成され、一対の軸孔５２Ａ，５２Ｂに回転可能に挿入される一対の回動軸３２Ａ，３２Ｂとからなる。
【００２５】
また、本実施形態は、開閉カバー５０を閉じた状態に保持する保持手段を備えている。
【００２６】
保持手段は、閉じた状態にある開閉カバー５０の所定方向、例えば前方向（ｆ方向）へのスライドを可能にするスライド手段を備えている。このスライド手段は、前記一対の回動軸３２Ａ，３２Ｂと、長孔からなり前記回動軸３２Ａ，３２Ｂのスライドを許容する前記一対の軸孔５２Ａ，５２Ｂとから構成してある。
【００２７】
また、保持手段は、ケース１に設けられ、閉じた状態にある開閉カバー５０の前方向へのスライドに伴って開閉カバー５０の所定部分が挿入され、開閉カバー５０の開く方向への回動を阻止する阻止部を備えている。
【００２８】
開閉カバー５０の所定部分とは、前記軸孔５２Ａ，５２Ｂが設けられる一端部とは反対側の他端部に形成されるリブ５３からほぼ直角に延びる舌状部５４Ａ，５４Ｂである。これら舌状部５４Ａ，５４Ｂは、開閉カバー５０が閉じた状態においてリブ５３Ａ，５３Ｂから前方向（ｆ方向）に突出する。
【００２９】
前記阻止部は、インサート成形部３０に形成される溝部３３Ａと上部ケース２０の上板２１の下面とから形成され、前記舌状部５４Ａが挿入される穴６０Ａ（図５参照）と、インサート成形部３０に形成される溝部３３Ｂと上部ケース２０の上板２１の下面とから形成され、前記舌状部５４Ｂが挿入される穴（図示せず）である。
【００３０】
また、保持手段は、閉じた状態にある開閉カバー５０の前方向へのスライドに伴って開閉カバー５０とケース１を係合させる係合手段を備えている。この係合手段は、図５に示すように、舌状部５４Ａに形成された湾曲部５４ａと、この湾曲部５４ａとリブ５３との間に形成される凹部５４ｂと、上部ケース２０の上板２１の下面から突出する凸部２３とからなる。
【００３１】
つまり、舌状部５４Ａが穴６０に挿入される際は、凸部２３から湾曲部５４ａに与えられる力により舌状部５４Ａが下方向（ｄ方向）に撓んで凹部５４ｂと凸部２３が係合し、舌状部５４Ａが穴８から引抜かれる際は、凸部２３から湾曲部５４ａに与えられる力により舌状部５４Ａが下方向に撓んで凹部５４ａが凸部２３から離脱するようにしてある。なお、舌状部５４Ａと同様にして舌状部５４Ｂにおいても開閉カバー５０とケース１が係合および離脱可能にしてある（図示せず）。
【００３２】
また、ケース１の後端部には、つまみ部１５を設けてある。開閉カバー５０には、つまみ部１５を露出させる切欠き部５５を設けてある。つまみ部１５は、下部ケース１０の後端部に横たわる略四角柱状の部分からなる。つまみ部１５の上面には、左右方向に延びるスリット１５ａを形成してある。このスリット１５ａは、手指の爪を引っ掛けることができる程度の寸法に設定してある。
【００３３】
また、インサート成形部３０の右側部には、前後方向に延び、閉じた状態にある開閉カバー５０のリブ５１Ａが配置されるガイド切欠き３７を設けてある。また、インサート成形部３０の左側部には、閉じた状態にある開閉カバー５０のリブ５１Ｂが配置されるガイド溝３８を設けてある。つまり、開閉カバー５０のスライド時に、ガイド切欠き３７，ガイド溝３８が、リブ５１Ａ，５１Ｂの移動をガイドするようにしてある。
【００３４】
また、インサート成形部３０には、カード１００の長手方向（ｌ−ｒ方向）における両端面のそれぞれに対向する壁部３４，３５と、カード１００の幅方向（ｌ−ｒ方向）における一端面に対向する壁部３６とを形成してある。また、前記つまみ部１５の前端部１５ｂを、カード１００の幅方向における他端面に対向する壁部としてある。つまり、壁部３４，３５，３６およびつまみ部１５の前端部１５ｂが、カード１００を収納空間２に位置決めし、壁部３６がカード１００の前方向のスライドを阻止し、つまみ部１５の前端部１５ｂがカード１００の後方向（ｂ方向）へのスライドを阻止するようにしてある。
【００３５】
また、本実施形態は、開閉カバー５０の舌状部５４Ａが接触する内部端子７１と、端子部材４０の外部端子４２とともに並べられ、外部に露出する外部端子７２と、内部端子７１と外部端子７２を連結する連結部７３とを有するグランド端子７０を備えている。このグランド端子７０の内部端子７１は、前記溝部３３Ａの底面において露出させてある。このグランド端子７０の外部端子７２は、本実施形態が外部機器のカード用コネクタに挿入された状態において、カード用コネクタのグランド端子部材に接触して接地される。
【００３６】
また、本実施形態に装着されるカード１００は、開閉カバー５０が開いた状態で露出する表面すなわち上面に、突出部１００ａが形成されている。開閉カバー５０には、突出部１００ａが配置されるとともに、この突出部１００ａが配置された状態における開閉カバー５０のスライドを許容する孔５６を形成してある。
【００３７】
また、カード１００の突出部１００ａは、カード１００が収納空間２に配置された状態で開閉カバー５０のスライド方向に直線的に延びる縁部１００ｂを有する。開閉カバー５０の前記孔５６の輪郭を形成する部分には、スライド方向に直線的に延び、突出部１００ａの直線状の縁部１００ｂに摺接可能な摺接部５６ａを形成してある。
【００３８】
また、本実施形態では、図４に示すように、複数の端子部材４０のそれぞれの連結部４３を、インサート成形部３０に埋設してある。また、インサート成形部３０の左側部のＡ部（一点鎖線で囲んだ部分）には、２つの連結部４３がケース１の厚さ方向における異なる位置に配置されるとともに樹脂を挟んで重なった部分を、複数設けてある。また、グランド端子部材７０の連結部７３も、端子部材４０の連結部４３の上方に配置してある。
【００３９】
また、インサート成形部３０には、連結部４３の一部を露出させる金型穴８０，８１や、グランド端子７０の内部端子７１を露出させる金型穴８２（図５参照）を形成してある。金型穴８０は、インサート成形の際、連結部４３の下面に金型を直接接触させた結果形成されたものであり、金型穴８１は、連結部４３の上面に金型を直接接触させた結果形成されたものであり、金型穴８２は、グランド端子７０の連結部７３の下面に金型を直接接触させたために形成されたものである。
【００４０】
本実施形態は、次のようにして使用する。
【００４１】
本実施形態にカード１００を装着する際、はじめに、図１に示すように開閉カバー５０を開く。そして、図２に示すようにケース１の収納空間２にカード１００を配置する。このとき、壁部３４，３５，３６およびつまみ部１５の前端部１５ｂによって、ケース１に対するカード１００の挿入がガイドされ、カード１００が収納空間２に位置決めされる。
【００４２】
次に、開閉カバー５０を閉じ、開閉カバー５０舌状部５４Ａ，５４Ｂのそれぞれを、上部カバー２０の上板２１に覆われていない溝部３３Ａ，３３Ｂの後端部に配置する。
【００４３】
次に、開閉カバー５０を前方向にスライドさせる。開閉カバー５０の前方向へのスライド中、開閉カバー５０のリブ５１Ａ，５１Ｂのそれぞれの移動がガイド切欠き３７およびガイド溝３８のそれぞれによってガイドされる。また、孔５６の摺接部５６ａの移動がカード１００の突出部１００ａの縁部１００ｂによってガイドされる。つまり、開閉カバー５０は、ガイド切欠き３７，ガイド溝３８および突出部１００ａの縁部１００ｂによって、左右方向にずれないようガイドされながら、前方向へのスライドする。また、開閉カバー５０の前方向へのスライドに伴うカード１００の前方向へのずれは、壁部３６により防止される。
【００４４】
また、開閉カバー５０が前方向にスライドすると、舌状部５４Ａが穴６０Ａに挿入され、舌状部５４Ａの湾曲部５４ａが上部ケース２０の凸部２３に当接する。そして、穴６０Ａの奥方向への舌状部５４Ａの移動に伴って、凸部２３から湾曲部５４ａに下方向の力が与えられる。下方向の力を与えられた舌状部５４Ａは、下方向に撓む。これにより、舌状部５４Ａの移動がさらに穴６０Ａの奥方向へ移動し、湾曲部５４ａが凸部２３を通過する。すると、舌状部５４Ａの凹部５４ｂと上部ケース２０の凸部２３が係合する（図５に示す状態）。また、開閉カバー５０のもう１つの舌状部５４Ｂも同様にして上部ケース２０に係合する。つまり、開閉カバー５０は、開く方向の回動を上部ケース２０の上板２１により阻止され、開閉カバー５０の後方向へのスライドをケース１との係合により抑制されることによって、閉じた状態に保持される。
【００４５】
また、開閉カバー５０の舌状部５４Ａは、凸部２３に係合した状態において、グランド端子７０の内部端子７１に接触している。
【００４６】
また、本実施形態を外部機器のカード用コネクタ（図示せず）に装着する際は、つまみ部１５を手指でつまんで持運び、外部機器のカード用コネクタに挿入する。本実施形態がカード用コネクタに挿入された状態では、端子部材４０の外部端子がカード用コネクタの端子に接触する。これにより、カードに記憶された情報を外部機器により扱えるようになる。また、グランド端子部材７０の外部端子７２が、カード用コネクタのグランド端子部材に接触し、これにより、開閉カバー５０が接地される。
【００４７】
前述のようにして本実施形態に装着したカード１００を取出す際は、はじめに、開閉カバー５０を、開閉カバー５０の舌状部５４Ａ，５４Ｂと上部ケース２０との係合力に抗して後方向（ｂ方向）へスライドさせて、開閉カバー５０とケース１との係合を解く。その後、開閉カバー５０を後方向にさらにスライドさせて、上部ケース２０の上板２１に覆われていない溝３３Ａ，３３Ｂのそれぞれ後端部まで、舌状部５４Ａ，５４Ｂを引出す。
【００４８】
次に、開閉カバー５０を開く方向に回動させて図２に示すように開閉カバー５０を開き、カード１００を取出す。
【００４９】
なお、開閉カバー５０の後方向へのスライド中も、開閉カバー５０の後方向へのスライドが、ガイド切欠き３７，ガイド溝３８および突出部１００ａの縁部１００ｂによって左右方向にずれないようにガイドされる。また、開閉カバー５０の後方向へのスライドに伴うカード１００の前方向へのずれは、つまみ部１５の前端部１５ｂにより防止される。
【００５０】
本実施形態では、次の効果を得られる。
【００５１】
本実施形態では、２つの連結部４３がケース１の厚さ方向における異なる位置に配置されるとともに樹脂を挟んで重なった部分を、複数設けてある。これにより、すべての連結部４３をケース１の厚さ方向に直交する平面方向に並べて配置する場合よりも、複数の端子部材４０の配置に要する平面方向のスペースの縮小を容易に行うことができる。
【００５２】
また、本実施形態では、グランド端子部材７０の連結部７３を、端子部材４０の連結部４３の上方に配置してある。これによっても、複数の端子部材４０の配置に要する平面方向のスペースの縮小を容易に行うことができる。
【００５３】
また、本実施形態では、端子部材４０の内部端子４１が、端子部材４０の一端側を収納空間２内に片持ち梁状に突出させてなるので、弾性力によって内部端子４１をカード１００の端子に圧接させることができる。この結果、カード１００の端子と内部端子４１の安定した接触状態を保持することができる。
【００５４】
また、本実施形態では、内部端子４１および外部端子４２をどちらも、厚さ方向（ｏ−ｕ方向）に直交する平面方向（ｆ−ｂ方向、ｌ−ｒ方向）に並べたので、平面的に配列された端子を有するカードおよびカード用コネクタに対応するカード用アダプタを実現できる。
【００５５】
また、本実施形態では、インサート成形の際、連結部４３に金型を直接接触させた状態に保持したので、ケース１の厚さ方向における異なる所定位置のそれぞれに連結部４３を配置するための精度を向上させることができる。
【００５６】
なお、本実施形態では、連結部４３を２つ重ねてあるが、本発明はこれに限るものではなく、３つ重ねてもよい。このように構成したものでは、複数の端子部材４０の配置に要するスペースをさらに縮小できる。
【００５７】
また、本実施形態では、連結部４３をケース１の厚さ方向に重ねてあるが、本発明は、これに限るものではなく、ケース１の厚さ方向における異なる位置に配置するだけでもよい。このように構成したものでは、ケース１の厚さ方向に直交する方向における連結部４３間の間隔寸法を短縮できるので、複数の端子部材４０の配置に要するスペースを縮小できる。
【図面の簡単な説明】
【００５８】
【図１】本発明のカード用アダプタの一実施形態を示す斜視図である。
【図２】図１に示す実施形態にカードを収納した状態を示す斜視図である。
【図３】図１に示す実施形態の分解斜視図である。
【図４】図１に示す実施形態に備えられるインサート成形部を示す平面図である。
【図５】開閉カバーとケースの係合状態を示す断面図である。
【符号の説明】
【００５９】
１              ケース
２              収納空間
１０            下部ケース
１１            底板
１５            つまみ部
１５ｂ          前端部
２０            上部ケース
２１            上板
２３            凸部
３０            インサート成形部
３２Ａ，３２Ｂ  回動軸
３３Ａ，３３Ｂ  溝部
３４〜３６      壁部
３７            ガイド切欠き
３８            ガイド溝
４０            端子部材
４１            内部端子
４２            外部端子
４３            連結部
５０            開閉カバー
５２Ａ，５２Ｂ  軸孔
５４Ａ，５４Ｂ  舌状部
５４ａ          湾曲部
５４ｂ          凹部
５５            切欠き部
５６            孔
５６ａ          摺接部
６０Ａ          孔
７０            グランド端子
７１            内部端子
７２            外部端子
７３            連結部
１００          カード
１００ａ        突出部
１００ｂ        縁部
【図１】
2006032097.tif 000003
【図２】
2006032097.tif 000004
【図３】
2006032097.tif 000005
【図４】
2006032097.tif 000006
【図５】
2006032097.tif 000007